(57)【要約】【課題】電子コンテンツを適切な利用者に流通させる際に、利用者の個人情報である利用者の時間位置情報をサービス事業者に公開することなく、サービス事業者のサーバに処理負荷をかけずに、またサービスの応答性を良好に保って電子コンテンツを流通させる。【解決手段】コンテンツ受信部１０１は、仲介者コンテンツサーバ２００から、電子コンテンツを受信する。コンテンツ管理部１０２は、受信された電子コンテンツをコンテンツ保存部１０３に保存する。コンテンツ抽出部１０７は、利用者のプロファイルをプロファイル保存部１０６から読み出し、当該プロファイルをキーにして、コンテンツ管理部１０２を介して、コンテンツ保存部１０３に保存されている電子コンテンツの検索を実行する。コンテンツ抽出部１０７は、検索にヒットした電子コンテンツを順次コンテンツ表示部１０８に表示し、利用者端末コンピュータ１００の利用者にコンテンツを視聴させる。【選択図】図１
2009252060.tif 000002
【特許請求の範囲】
【請求項１】
広告対象の所望の電子コンテンツを生成する広告主のサーバと、
前記広告主のサーバから前記電子コンテンツを受信し、その電子コンテンツに対して該電子コンテンツの利用者のプロファイル情報を含むコンテンツ属性を設定し、前記電子コンテンツと共にそのコンテンツ属性を配信する仲介者であるサービス事業者のサーバと、
前記サービス事業者のサーバが配信した前記コンテンツ属性が設定された前記電子コンテンツを受信してコンテンツ保存部に保存し、該コンテンツ保存部に保存された前記コンテンツ属性が設定された電子コンテンツの中から、入力された利用者のプロファイル情報に対応した前記コンテンツ属性を持つ電子コンテンツを検索し、その検索した電子コンテンツを表示する利用者端末と
を有することを特徴とする電子コンテンツ流通システム。
【請求項２】
広告対象の所望の電子コンテンツを生成する広告主のサーバと、
前記広告主のサーバから前記電子コンテンツを受信し、その電子コンテンツに対して有効期限と該電子コンテンツの利用者のプロファイル情報とを含むコンテンツ属性を設定し、前記電子コンテンツと共にそのコンテンツ属性を配信する仲介者であるサービス事業者のサーバと、
前記サービス事業者のサーバが配信した前記コンテンツ属性が設定された前記電子コンテンツを受信してコンテンツ保存部に保存し、該コンテンツ保存部に保存されている前記電子コンテンツの中から、入力された利用者のプロファイル情報に対応した前記コンテンツ属性を持つ電子コンテンツを検索し、その検索した電子コンテンツを表示すると共に、前記コンテンツ保存部のコンテンツ使用量を監視し、そのコンテンツ使用量が予め設定した閾値を超えたときは該コンテンツ保存部に保存されている前記電子コンテンツのうち有効期限が経過している電子コンテンツを削除する利用者端末と
を有することを特徴とする電子コンテンツ流通システム。
【請求項３】
前記サービス事業者のサーバは、前記広告主のサーバから受信した前記電子コンテンツに対して更に優先度をコンテンツ属性として設定し、
前記利用者端末は、前記コンテンツ保存部に保存されている前記電子コンテンツの中から、入力された利用者のプロファイル情報に対応した前記コンテンツ属性を持つ電子コンテンツを検索し、その検索した電子コンテンツを前記優先度の高い電子コンテンツから順に表示する手段を有することを特徴とする請求項１又は２記載の電子コンテンツ流通システム。
【請求項４】
前記利用者端末は、
前記コンテンツ保存部に保存されている前記電子コンテンツに前記コンテンツ属性として設定されている前記優先度を各電子コンテンツ毎に保存する優先度保存手段と、
前記電子コンテンツの表示回数を保存する表示回数保存手段と、
前記表示回数保存手段で保存された前記表示回数又は該表示回数に準じた数で、前記優先度保存手段に保存されている表示する前記電子コンテンツの前記優先度を除算又は減算し、その計算結果を前記優先度保存手段に保存されている表示する前記電子コンテンツの優先度として更新する手段と
を有することを特徴とする請求項３記載の電子コンテンツ流通システム。
【請求項５】
前記利用者端末は、
前記電子コンテンツの表示回数を保存する表示回数保存手段と、
予定する前記電子コンテンツの総表示回数を議席数、各電子コンテンツの優先度を投票数とし、議席配分アルゴリズムで各電子コンテンツの予定表示回数を求め、累積の表示回数が予定表示回数に満たないコンテンツを順次表示する手段と
を有することを特徴とする請求項３記載の電子コンテンツ流通システム。
【請求項６】
前記サービス事業者のサーバは、前記広告主のサーバから受信した前記電子コンテンツに対して更に位置・領域情報の属性をコンテンツ属性として設定し、
前記利用者端末は、
利用者の現在及び過去の位置情報を含む行動履歴の入力を受け付けてプロファイルとして保存する行動履歴保存手段と、
前記行動履歴保存手段に保存された行動履歴が示す位置と、前記コンテンツ保存部に保存されている各電子コンテンツのコンテンツ属性として設定されている前記位置・領域情報が示す位置との間の距離をそれぞれ算出する距離算出手段と、
算出された前記距離が小さい順に対応する電子コンテンツを前記検索された電子コンテンツとして表示する表示手段と
を有することを特徴とする請求項１又は２記載の電子コンテンツ流通システム。
【請求項７】
前記サービス事業者のサーバは、前記広告主のサーバから受信した前記電子コンテンツに対して更に優先度と位置・領域情報の属性をコンテンツ属性として設定し、
前記利用者端末は、
利用者の現在及び過去の位置情報を含む行動履歴の入力を受け付けてプロファイルとして保存する行動履歴保存手段と、
前記行動履歴保存手段に保存された行動履歴が示す位置と、前記コンテンツ保存部に保存されている各電子コンテンツのコンテンツ属性として設定されている前記位置・領域情報が示す位置との間の距離をそれぞれ算出する距離算出手段と、
算出された前記距離が小さい順に対応する電子コンテンツを前記検索された電子コンテンツとして表示する表示手段と、
前記コンテンツ保存部のコンテンツ使用量を監視して、そのコンテンツ使用量が予め設定した閾値を超えたことを検出し、かつ、該コンテンツ保存部に保存されている前記電子コンテンツのうち有効期限が経過している電子コンテンツが存在しないことを検出したときは、該コンテンツ保存部に保存されている前記電子コンテンツのうち前記距離が所定値より大きい電子コンテンツを削除し、該距離が所定値より大きい電子コンテンツが存在しないときは、前記優先度が最も低い電子コンテンツを削除する手段と
を更に有することを特徴とする請求項２記載の電子コンテンツ流通システム。
【請求項８】
前記利用者端末の現在位置の位置情報を取得する位置情報取得手段を更に有し、
前記利用者端末は、前記位置情報取得手段が取得した位置情報を、利用者の前記プロファイル情報として保存するプロファイル情報保存手段を有することを特徴とする請求項１乃至７のうちいずれか一項記載の電子コンテンツ流通システム。
【請求項９】
前記利用者端末は、表示した前記電子コンテンツに関する情報を前記サービス事業者のサーバに送信する手段を有し、
前記サービス事業者のサーバは、
前記利用者端末から送信された前記電子コンテンツに関する情報を受信して、前記電子コンテンツの表示回数、時間帯別表示回数、エリア別表示回数、表示効果回数を統計情報として演算する統計演算手段と、
前記統計演算手段により得られた前記統計情報を前記広告主のサーバへ送信する統計情報送信手段とを有する
ことを特徴とする請求項１乃至８のうちいずれか一項記載の電子コンテンツ流通システム。
【請求項１０】
前記利用者端末は、表示した前記電子コンテンツに対する利用者の応答を管理して表示効果を測定し、その表示効果情報を前記サービス事業者のサーバに送信する手段を有し、
前記サービス事業者のサーバは、
前記利用者端末から送信された前記表示効果情報を受信して集計する集計手段と、
前記集計手段により得られた前記表示効果情報を前記広告主のサーバへ送信する表示効果情報送信手段とを有する
ことを特徴とする請求項１乃至９のうちいずれか一項記載の電子コンテンツ流通システム。
【請求項１１】
前記利用者端末は、利用者のプロファイルを近似したプロファイル情報を、前記サービス事業者のサーバに送信する手段を有し、
前記サービス事業者のサーバは、前記利用者端末から受信した前記近似したプロファイル情報を収集、管理するプロファイル情報管理手段と、
前記近似したプロファイル情報を使って前記利用者端末に送信する電子コンテンツを判定する判定手段とを有する
ことを特徴とする請求項１乃至１０のうちいずれか一項記載の電子コンテンツ流通システム。
【請求項１２】
前記サービス事業者のサーバは、
前記利用者端末との間の通信状態を監視する通信状態管理手段と、
前記通信状態管理手段により前記利用者端末との間で十分な通信帯域が確保できない場合に、前記利用者端末で利用される可能性が高いと判定した電子コンテンツを優先して前記利用者端末に送信する送信手段とを
有することを特徴とする請求項１乃至１０のうちいずれか一項記載の電子コンテンツ流通システム。
【請求項１３】
前記サービス事業者のサーバは、
各利用者の電子コンテンツ利用情報から、同じ電子コンテンツを利用している割合を示す利用者間の相関度を算出する相関度算出手段と、
任意の利用者の前記利用者端末に対して前記電子コンテンツを送信する場合に、当該利用者端末に未送信で、かつ、前記相関度算出手段で相関度の高い利用者において利用された電子コンテンツを抽出して送信する手段と
を更に有することを特徴とする請求項９乃至１２のうちいずれか一項記載の電子コンテンツ流通システム。
【請求項１４】
前記サービス事業者のサーバは、
前記利用者端末から送信されたコンテンツ表示履歴情報を用いて、そのコンテンツ表示履歴情報にある電子コンテンツと類似するコンテンツ属性を有する電子コンテンツは、当該利用者端末で利用される可能性のある相関度が高いコンテンツであると判定する判定手段と、
前記利用者端末に対して前記電子コンテンツを送信する場合に、当該利用者端末に未送信で、かつ、前記判定手段で当該利用者端末に直近に利用された電子コンテンツとの相関度が高いと判定された電子コンテンツを抽出して送信する手段と
を更に有することを特徴とする請求項９乃至１２のうちいずれか一項記載の電子コンテンツ流通システム。
【請求項１５】
広告主のサーバと、前記広告主からの電子コンテンツを配信するサービス事業者のサーバと、受信した前記電子コンテンツを表示する利用者端末とからなるシステムにおける電子コンテンツ流通配信方法であって、
前記広告主のサーバにより広告対象の所望の電子コンテンツを生成する第１のステップと、
前記サービス事業者のサーバにより前記電子コンテンツを受信し、その電子コンテンツに対して該電子コンテンツの利用者のプロファイル情報を含むコンテンツ属性を設定した後、前記電子コンテンツと共にそのコンテンツ属性を配信する第２のステップと、
前記第２のステップで配信された、前記コンテンツ属性が設定された前記電子コンテンツを前記利用者端末が受信してその利用者端末のコンテンツ保存部に保存する第３のステップと、
前記コンテンツ保存部に保存された前記コンテンツ属性が設定された電子コンテンツの中から、入力された利用者のプロファイル情報に対応した前記コンテンツ属性を持つ電子コンテンツを検索する第４のステップと、
その検索した電子コンテンツを表示する第５のステップと
を含むことを特徴とする電子コンテンツ流通方法。
【請求項１６】
広告主のサーバと、前記広告主からの電子コンテンツを配信するサービス事業者のサーバと、受信した前記電子コンテンツを表示する利用者端末とからなるシステムにおける電子コンテンツ流通配信方法であって、
前記広告主のサーバにより広告対象の所望の電子コンテンツを生成する第１のステップと、
前記サービス事業者のサーバにより前記電子コンテンツを受信し、その電子コンテンツに対して有効期限と該電子コンテンツの利用者のプロファイル情報とを含むコンテンツ属性を設定した後、前記電子コンテンツと共にそのコンテンツ属性を配信する第２のステップと、
前記第２のステップで配信された、前記コンテンツ属性が設定された前記電子コンテンツを前記利用者端末が受信してその利用者端末のコンテンツ保存部に保存する第３のステップと、
前記コンテンツ保存部に保存されている前記電子コンテンツの中から、入力された利用者のプロファイル情報に対応した前記コンテンツ属性を持つ電子コンテンツを検索する第４のステップと、
前記第４のステップで検索した電子コンテンツを表示する第５のステップと、
前記コンテンツ保存部のコンテンツ使用量を監視し、そのコンテンツ使用量が予め設定した閾値を超えたときは該コンテンツ保存部に保存されている前記電子コンテンツのうち有効期限が経過している電子コンテンツを削除する第６のステップと
を含むことを特徴とする電子コンテンツ流通方法。
【請求項１７】
前記第２のステップは、受信した前記電子コンテンツに対して更に優先度をコンテンツ属性として設定し、前記第５のステップは、前記第４のステップで検索した電子コンテンツを前記優先度の高い電子コンテンツから順に表示することを特徴とする請求項１５又は１６記載の電子コンテンツ流通方法。
【請求項１８】
前記コンテンツ保存部に保存されている前記電子コンテンツに前記コンテンツ属性として設定されている前記優先度を各電子コンテンツ毎に保存すると共に前記電子コンテンツの表示回数を保存するステップと、保存された前記表示回数又は該表示回数に準じた数で、表示する前記電子コンテンツの前記優先度を除算又は減算し、その計算結果を保存されている表示する前記電子コンテンツの優先度として更新するステップとを更に含むことを特徴とする請求項１７記載の電子コンテンツ流通方法。
【請求項１９】
前記電子コンテンツの表示回数を保存するステップと、予定する前記電子コンテンツの総表示回数を議席数、各電子コンテンツの優先度を投票数とし、議席配分アルゴリズムで各電子コンテンツの予定表示回数を求めるステップとを更に含み、
前記第５のステップは、前記第４のステップで検索した電子コンテンツのうち累積の表示回数が前記予定表示回数に満たないコンテンツを順次表示することを特徴とする請求項１７記載の電子コンテンツ流通方法。
【請求項２０】
前記第２のステップは、受信した前記電子コンテンツに対して更に位置・領域情報の属性をコンテンツ属性として設定し、
前記第５のステップは、
利用者の現在及び過去の位置情報を含む行動履歴の入力を受け付けてプロファイルとして保存する行動履歴保存ステップと、
前記行動履歴保存ステップで保存された行動履歴が示す位置と、前記コンテンツ保存部に保存されている各電子コンテンツのコンテンツ属性として設定されている前記位置・領域情報が示す位置との間の距離をそれぞれ算出する距離算出ステップと、
算出された前記距離が小さい順に対応する電子コンテンツを前記検索された電子コンテンツとして表示する表示ステップと
を含むことを特徴とする請求項１５又は１６記載の電子コンテンツ流通方法。
【請求項２１】
前記第２のステップは、受信した前記電子コンテンツに対して更に優先度と位置・領域情報の属性をコンテンツ属性として設定するステップを含み、
前記第５のステップは、
利用者の現在及び過去の位置情報を含む行動履歴の入力を受け付けてプロファイルとして保存する行動履歴保存ステップと、
前記行動履歴保存ステップで保存された行動履歴が示す位置と、前記コンテンツ保存部に保存されている各電子コンテンツのコンテンツ属性として設定されている前記位置・領域情報が示す位置との間の距離をそれぞれ算出する距離算出ステップと、
算出された前記距離が小さい順に対応する電子コンテンツを前記検索された電子コンテンツとして表示する表示ステップとを含み、
前記第６のステップは、
前記コンテンツ保存部のコンテンツ使用量を監視して、そのコンテンツ使用量が予め設定した閾値を超えたことを検出し、かつ、該コンテンツ保存部に保存されている前記電子コンテンツのうち有効期限が経過している電子コンテンツが存在しないことを検出したときは、該コンテンツ保存部に保存されている前記電子コンテンツのうち前記距離が所定値より大きい電子コンテンツを削除する第１の削除ステップと、
前記距離が所定値より大きい電子コンテンツが存在しないときは、前記優先度が最も低い電子コンテンツを削除する第２の削除ステップと
を更に含むことを特徴とする請求項１６記載の電子コンテンツ流通方法。
【請求項２２】
現在位置の位置情報を取得する位置情報取得ステップを更に有し、
前記位置情報取得ステップで取得した位置情報を、前記利用者端末がその利用者の前記プロファイル情報として保存するプロファイル情報保存ステップを含むことを特徴とする請求項１５乃至２１のうちいずれか一項記載の電子コンテンツ流通方法。
【請求項２３】
前記利用者端末が表示した前記電子コンテンツに関する情報をサービス事業者のサーバに送信する第１の送信ステップと、
前記第１の送信ステップで送信された前記電子コンテンツに関する情報を受信して、前記電子コンテンツの表示回数、時間帯別表示回数、エリア別表示回数、表示効果回数を統計情報として演算する統計演算ステップと、
前記統計演算ステップにより得られた前記統計情報を広告主のサーバへ送信する第２の送信ステップと
を含むことを特徴とする請求項１５乃至２２のうちいずれか一項記載の電子コンテンツ流通方法。
【請求項２４】
前記利用者端末が表示した前記電子コンテンツに対する利用者の応答を管理して表示効果を測定し、その表示効果情報をサービス事業者のサーバに送信する第３の送信ステップと、
前記サービス事業者のサーバが前記表示効果情報を受信して集計する集計ステップと、
前記集計ステップにより得られた前記表示効果情報を前記広告主のサーバへ送信する第４の送信ステップと
を含むことを特徴とする請求項１５乃至２３のうちいずれか一項記載の電子コンテンツ流通方法。
【請求項２５】
利用者端末がその利用者のプロファイルを近似したプロファイル情報を前記サービス事業者のサーバへ送信するプロファイル情報送信ステップを有し、
前記サービス事業者のサーバが受信した前記近似したプロファイル情報を収集、管理するプロファイル情報管理ステップと、
前記近似したプロファイル情報を使って送信する電子コンテンツを判定する判定ステップと
を更に含むことを特徴とする請求項１５乃至２４のうちいずれか一項記載の電子コンテンツ流通方法。
【請求項２６】
前記サービス事業者のサーバが、前記利用者端末との間の通信状態を監視する通信状態管理ステップと、
前記通信状態管理ステップにより前記利用者端末との間で十分な通信帯域が確保できない場合に、前記利用者端末で利用される可能性が高いと判定した電子コンテンツを優先して前記利用者端末に送信する送信ステップとを
更に含むことを特徴とする請求項１５乃至２４のうちいずれか一項記載の電子コンテンツ流通方法。
【請求項２７】
前記サービス事業者のサーバが、各利用者の電子コンテンツ利用情報から、同じ電子コンテンツを利用している割合を示す利用者間の相関度を算出する相関度算出ステップと、
任意の利用者の前記利用者端末に対して前記電子コンテンツを送信する場合に、当該利用者端末に未送信で、かつ、前記相関度算出手段で相関度の高い利用者において利用された電子コンテンツを抽出して送信するステップと
を更に含むことを特徴とする請求項２３乃至２６のうちいずれか一項記載の電子コンテンツ流通方法。
【請求項２８】
前記サービス事業者のサーバが、前記利用者端末から送信されたコンテンツ表示履歴情報を用いて、そのコンテンツ表示履歴情報にある電子コンテンツと類似するコンテンツ属性を有する電子コンテンツは、当該利用者端末で利用される可能性のある相関度が高いコンテンツであると判定する判定ステップと、
前記利用者端末に対して前記電子コンテンツを送信する場合に、当該利用者端末に未送信で、かつ、前記判定手段で当該利用者端末に直近に利用された電子コンテンツとの相関度が高いと判定された電子コンテンツを抽出して送信するステップと
を更に含むことを特徴とする請求項２３乃至２６のうちいずれか一項記載の電子コンテンツ流通方法。
【請求項２９】
サービス事業者のサーバにより配信された広告主からの電子コンテンツを受信し、その電子コンテンツを表示する利用者端末のコンピュータを動作させる電子コンテンツ流通用プログラムであって、
前記コンピュータに、
前記サービス事業者のサーバが配信した、利用者のプロファイル情報を含むコンテンツ属性が設定された電子コンテンツを受信してコンテンツ保存部に保存する第１のステップと、
前記コンテンツ保存部に保存された前記コンテンツ属性が設定された電子コンテンツの中から、入力された利用者のプロファイル情報に対応した前記コンテンツ属性を持つ電子コンテンツを検索する第２のステップと、
その検索した電子コンテンツを表示する第３のステップと
を実行させることを特徴とする電子コンテンツ流通用プログラム。
【請求項３０】
サービス事業者のサーバにより配信された広告主からの電子コンテンツを受信し、その電子コンテンツを表示する利用者端末のコンピュータを動作させる電子コンテンツ流通用プログラムであって、
前記コンピュータに、
前記サービス事業者のサーバが配信した、有効期限と利用者のプロファイル情報を含むコンテンツ属性が設定された電子コンテンツを受信してコンテンツ保存部に保存する第１のステップと、
前記コンテンツ保存部に保存されている前記電子コンテンツの中から、入力された利用者のプロファイル情報に対応した前記コンテンツ属性を持つ電子コンテンツを検索する第２のステップと、
前記第２のステップで検索した電子コンテンツを表示する第３のステップと、
前記コンテンツ保存部のコンテンツ使用量を監視し、そのコンテンツ使用量が予め設定した閾値を超えたときは該コンテンツ保存部に保存されている前記電子コンテンツのうち有効期限が経過している電子コンテンツを削除する第４のステップと
を実行させることを特徴とする電子コンテンツ流通用プログラム。
【請求項３１】
前記第１のステップとして、更に優先度をコンテンツ属性として設定された電子コンテンツを受信して前記コンテンツ保存部に保存し、前記第３のステップとして、前記第２のステップで検索した電子コンテンツを前記優先度の高い電子コンテンツから順に表示することを前記コンピュータに実行させることを特徴とする請求項２９又は３０記載の電子コンテンツ流通用プログラム。
【請求項３２】
前記コンテンツ保存部に保存されている前記電子コンテンツに前記コンテンツ属性として設定されている前記優先度を各電子コンテンツ毎に保存すると共に前記電子コンテンツの表示回数を保存するステップと、保存された前記表示回数又は該表示回数に準じた数で、表示する前記電子コンテンツの前記優先度を除算又は減算し、その計算結果を保存されている表示する前記電子コンテンツの優先度として更新するステップとを更に前記コンピュータに実行させることを特徴とする請求項３１記載の電子コンテンツ流通用プログラム。
【請求項３３】
前記電子コンテンツの表示回数を保存するステップと、予定する前記電子コンテンツの総表示回数を議席数、各電子コンテンツの優先度を投票数とし、議席配分アルゴリズムで各電子コンテンツの予定表示回数を求めるステップとを更に前記コンピュータに実行させ、
前記第３のステップとして、前記第２のステップで検索した電子コンテンツのうち累積の表示回数が前記予定表示回数に満たないコンテンツを順次表示することを前記コンピュータに実行させることを特徴とする請求項３１記載の電子コンテンツ流通用プログラム。
【請求項３４】
前記第１のステップとして、更に位置・領域情報の属性をコンテンツ属性として設定された電子コンテンツを受信して前記コンテンツ保存部に保存することを前記コンピュータに実行させ、
前記第３のステップとして、
利用者の現在及び過去の位置情報を含む行動履歴の入力を受け付けてプロファイルとして保存する行動履歴保存ステップと、
前記行動履歴保存ステップで保存された行動履歴が示す位置と、前記コンテンツ保存部に保存されている各電子コンテンツのコンテンツ属性として設定されている前記位置・領域情報が示す位置との間の距離をそれぞれ算出する距離算出ステップと、
算出された前記距離が小さい順に対応する電子コンテンツを前記検索された電子コンテンツとして表示する表示ステップと
を前記コンピュータに実行させることを特徴とする請求項２９又は３０記載の電子コンテンツ流通用プログラム。
【請求項３５】
前記第１のステップとして、更に優先度と位置・領域情報の属性をコンテンツ属性として設定された電子コンテンツを受信して前記コンテンツ保存部に保存することを前記コンピュータに実行させ、
前記第３のステップとして、
利用者の現在及び過去の位置情報を含む行動履歴の入力を受け付けてプロファイルとして保存する行動履歴保存ステップと、
前記行動履歴保存ステップで保存された行動履歴が示す位置と、前記コンテンツ保存部に保存されている各電子コンテンツのコンテンツ属性として設定されている前記位置・領域情報が示す位置との間の距離をそれぞれ算出する距離算出ステップと、
算出された前記距離が小さい順に対応する電子コンテンツを前記検索された電子コンテンツとして表示する表示ステップとを前記コンピュータに実行させ、
前記第４のステップとして、
前記コンテンツ保存部のコンテンツ使用量を監視して、そのコンテンツ使用量が予め設定した閾値を超えたことを検出し、かつ、該コンテンツ保存部に保存されている前記電子コンテンツのうち有効期限が経過している電子コンテンツが存在しないことを検出したときは、該コンテンツ保存部に保存されている前記電子コンテンツのうち前記距離が所定値より大きい電子コンテンツを削除する第１の削除ステップと、
前記距離が所定値より大きい電子コンテンツが存在しないときは、前記優先度が最も低い電子コンテンツを削除する第２の削除ステップと
を更に前記コンピュータに実行させることを特徴とする請求項３０記載の電子コンテンツ流通用プログラム。
【請求項３６】
現在位置の位置情報を取得する位置情報取得ステップと、
前記位置情報取得ステップで取得した位置情報を、前記利用者端末の利用者の前記プロファイル情報として保存するプロファイル情報保存ステップとを
前記コンピュータに実行させることを特徴とする請求項２９乃至３５のうちいずれか一項記載の電子コンテンツ流通用プログラム。
【請求項３７】
広告主のサーバから送信された電子コンテンツを利用者端末へ配信する仲介を行うサービス事業者のサーバのコンピュータを動作させる電子コンテンツ流通用プログラムであって、
前記コンピュータに、
前記利用者端末が表示した前記電子コンテンツに関する情報を受信して、前記電子コンテンツの表示回数、時間帯別表示回数、エリア別表示回数、表示効果回数を統計情報として演算する統計演算ステップと、
前記統計演算ステップにより得られた前記統計情報を前記広告主のサーバへ送信する送信ステップと
を実行させることを特徴とする電子コンテンツ流通用プログラム。
【請求項３８】
広告主のサーバから送信された電子コンテンツを利用者端末へ配信する仲介を行うサービス事業者のサーバのコンピュータを動作させる電子コンテンツ流通用プログラムであって、
前記コンピュータに、
前記利用者端末が表示した前記電子コンテンツに対する利用者の応答を管理して表示効果を測定し、その表示効果情報を前記利用者端末から受信して集計する集計ステップと、
前記集計ステップにより得られた前記表示効果情報を前記広告主のサーバへ送信する送信ステップと
を実行させることを特徴とする電子コンテンツ流通用プログラム。
【請求項３９】
利用者端末から送信された、利用者のプロファイルを近似したプロファイル情報を収集、管理するプロファイル情報管理ステップと、
前記近似したプロファイル情報を使って送信する電子コンテンツを判定する判定ステップと
を更に前記コンピュータに実行させることを特徴とする請求項３７又は３８記載の電子コンテンツ流通用プログラム。
【請求項４０】
前記サービス事業者のサーバと前記利用者端末との間の通信状態を監視する通信状態管理ステップと、
前記通信状態管理ステップにより前記利用者端末との間で十分な通信帯域が確保できない場合に、前記利用者端末で利用される可能性が高いと判定した電子コンテンツを優先して前記利用者端末に送信する送信ステップとを
更に前記コンピュータに実行させることを特徴とする請求項３７乃至３９のうちいずれか一項記載の電子コンテンツ流通用プログラム。
【請求項４１】
各利用者の電子コンテンツ利用情報から、同じ電子コンテンツを利用している割合を示す利用者間の相関度を算出する相関度算出ステップと、
任意の利用者の前記利用者端末に対して前記電子コンテンツを送信する場合に、当該利用者端末に未送信で、かつ、前記相関度算出手段で相関度の高い利用者において利用された電子コンテンツを抽出して送信するステップと
を更に前記コンピュータに実行させることを特徴とする請求項３７乃至４０のうちいずれか一項記載の電子コンテンツ流通用プログラム。
【請求項４２】
前記利用者端末から送信されたコンテンツ表示履歴情報を用いて、そのコンテンツ表示履歴情報にある電子コンテンツと類似するコンテンツ属性を有する電子コンテンツは、当該利用者端末で利用される可能性のある相関度が高いコンテンツであると判定する判定ステップと、
前記利用者端末に対して前記電子コンテンツを送信する場合に、当該利用者端末に未送信で、かつ、前記判定手段で当該利用者端末に直近に利用された電子コンテンツとの相関度が高いと判定された電子コンテンツを抽出して送信するステップと
を更に前記コンピュータに実行させることを特徴とする請求項３７乃至４０のうちいずれか一項記載の電子コンテンツ流通用プログラム。
【発明の詳細な説明】
【技術分野】
【０００１】
本発明は電子コンテンツ流通システム、電子コンテンツ流通方法及び電子コンテンツ流通用プログラムに係り、特に広告等の電子コンテンツの配信者から依頼を受け、カーナビゲーション装置や携帯端末などの移動体端末を用いた利用者の位置・時間・状況に応じて電子コンテンツを流通させる電子コンテンツ流通システム、電子コンテンツ流通方法及び電子コンテンツ流通用プログラムに関する。
【背景技術】
【０００２】
広告等の電子コンテンツを流通させる電子コンテンツ流通システムが知られている（例えば、特許文献１、２参照）。図１２は、特許文献１に記載の電子コンテンツ流通システムの一例の構成図を示す。この電子コンテンツ流通システムは、加入者及び情報提供者双方にとって、有用な配信情報を効率的に配信、受信できる広告配信システムである。
【０００３】
図１２に示すように、この広告配信システムは、大きく加入者８０１、情報提供者８０３、サービス事業者８０４から構成される。サービス事業者８０４においては、データ配信サーバ８０８、利用者データサーバ８０９、時間位置サーバ８１０、検索サーバ８１１、時間位置情報データベース８１２、統計情報データベース８１３、公開顧客情報データベース８１４から構成されている。
【０００４】
このような構成を有する広告配信システムは次のように動作する。すなわち、サーバ業者８０４は、まず、加入者８０１の時間位置情報８０２を自動または手動により、時間位置サーバ８１０へ取得し、時間位置情報データベース８１２を構築し、さらにそのデータベース８１２を基に統計処理を行い、統計情報データベース８１３を構築する。
【０００５】
サーバ業者８０４は、次にこの２つのデータベース８１２及び８１３と、顧客情報より構築する公開顧客情報データベース８１４の計３つのデータベースをもとに検索をし、広告代理店等の情報提供者８０３より提供される広告等の配信情報８０５を加入者８０１へ配信する。また、サーバ業者８０４は、検索条件８０６により個人の特定を避けるために、検索結果の個数を制限する仕組みと、検索キーの個数と検索結果の個数に対しての課金をする仕組みを設けている。
【０００６】
図１３は、特許文献２に記載の電子コンテンツ流通システムの一例の構成図を示す。この電子コンテツ流通システムは、ウェブ（Ｗｅｂ）ドキュメント提供者が、効果的に宣伝広告などのコメントを検索結果に含めて提示することを可能とする手法を有している。
【０００７】
図１３に示すように、この電子コンテンツ流通システムは、提供者端末９００、ユーザ端末９１０、検索サーバ９２０から構成されている。検索サーバ９２０は、通信部９２１、制御部９２２、リンクデータ記憶部９２５、提供者コメント記憶部９２６を有している。更に、制御部９２２は、検索部９２３とコメント抽出部９２４とからなる。
【０００８】
この電子コンテツ流通システムでは、検索サーバ９２０において、提供者端末９００からＷｅｂドキュメントに関する提供者コメントを取得し、Ｗｅｂドキュメントへのリンクデータと提供者コメントとを関係づけて、提供者コメント記憶部９２６に記憶する。また、検索サーバ９２０は、検索キーワードをユーザ端末９１０から受信し、この検索キーワードの受信に応じて、検索部９２３が、当該検索キーワードに基づいて、Ｗｅｂドキュメントを検索し、コメント抽出部９２４が、検索されたＷｅｂドキュメントに関係付けられたリンクデータ及び提供者コメント含む検索結果データをユーザ端末９１０に送信する。
【０００９】
このとき、提供者コメントの使用に応じて課金する機能、さらに提供者コメントに有効期限が関係付けられ、有効期限データに基づいて、提供者コメントを削除する機能も設けられている。
【００１０】
また、インターネットへ接続可能で加入者線が無線である電話を使用して利用者の属性に合致した情報の配信を携帯端末が受ける構成の情報配信システムも知られている（例えば、特許文献３参照）。この特許文献３には、利用者の属性に合致した広告情報を受けることができる携帯端末を提供する手法が示されている。
【００１１】
インターネットへ接続可能で加入者線が無線である電話を使用して利用者の属性に合致した情報の配信を受ける携帯端末において、インターネットに接続するための通信手段と、通信手段を介して情報を予めダウンロードして記憶しておく情報記憶手段と、利用者の個人情報が予め記録された個人認証カードと、情報の内容を表示する表示手段と、通信手段を介して取得したコンテンツに内封された情報配信指示と個人認証カードに記録されている個人情報に基づいて、情報記憶手段に記憶されている情報を選択して、該情報を表示手段へ表示する情報配信手段とを設けている。この特許文献３記載の発明では、インターネット上の配信サーバから、大分類された広告情報を携帯端末に配信する手法について言及している。
【００１２】
【特許文献１】特開２００４−１２６８９７号公報
【特許文献２】特開２００７−１５６６６７号公報
【特許文献３】特開２００３−０３０５３０号公報
【発明の開示】
【発明が解決しようとする課題】
【００１３】
しかしながら、上記の特許文献１〜３に記載の電子コンテンツ流通システムや配信システムでは、以下の課題がある。
【００１４】
第１の課題は、利用者の個人情報をサービス事業者に公開し、個人情報漏えいのリスクがあるということである。すなわち、サービス事業者（広告主及び広告仲介事業者）は、ある特性を有する利用者に向けて広告情報を発信することで効率的な広告サービスを実現できるが、特性の１つとして利用者の時間位置情報を利用するためには、時間位置を含めた情報をサービス事業者に通信することが必要である。配信情報を利用者に高精度に適するようにするには、きめ細かい利用者の時間位置情報が必要であり、その時間位置情報から個人の特定が可能である。時間位置情報は個人情報そのものであるからである。
【００１５】
特許文献１記載のシステムでは、個人の時間位置情報を送信する処理が不可欠である。外部へのデータ送信は、暗号化などの対策もあるが、内部でデータ処理する構成に比べ、個人情報漏えいのリスクが高くなる。サービス事業者にとっては、十分な情報漏えい対策を施す必要があり、そのためのシステム構築、及び運用保守の手間が増大し、サービスの費用が増大する問題ともなる。さらに、利用者が個人情報を送信しないとすると、どの情報を利用者に送信してよいかが不明確となる。また、特許文献３に記載のシステムでは、配信情報及び利用者を大まかな分類で処理する場合、同じ分類に属する情報が大量となり、通信回線に十分な通信帯域がなければ、すべての情報を通信することができない問題が生じる。
【００１６】
第２の課題は、サービス事業者のサーバ処理負荷が高いということである。その理由は、サービス事業者のデータベースサーバに負荷が集中するためである。特許文献１記載のシステムでは、時間位置情報データベース８１２及び統計情報データベース８１３は、利用者の時間位置情報に応じて、時々刻々と更新され、書出し負荷は高い。また検索処理も、キャッシュが有効とならないため、読込み負荷も高くなる。このため、更新を間引くことで負荷を軽減するような対策がなされる。しかし、更新を間引いた場合は、利用者の時間位置情報がリアルタイムに反映されず、サービスの品質が低下する。そのため、サービス事業者８０４にとっては、十分な性能を持つサーバ及びストレージを用意する必要があり、そのためのシステム構築、および運用保守の手間が増大し、すなわちサービスの費用が増大する問題ともなる。特許文献２に記載のシステムおいても、検索は、サービス事業者の検索サーバに一元管理される構成となっており、負荷が集中する構成となっている。
【００１７】
第３の課題は、サービスの応答性が劣化する可能性があるということである。その理由は、利用者は、通信回線を介して、サービス事業者のサーバにおいて検索をしているため、例えば、無線通信で電波が届かない所への移動などによって、検索結果を得られない可能性があるためである。特許文献１及び特許文献２に記載のシステムでは、検索サーバをサービス事業者が一元管理する構成であり、サービス応答の際に、通信が不可避の構成となっている。
【００１８】
本発明は以上の点に鑑みなされたもので、利用者の時間位置情報をサービス事業者に公開することなく適切な利用者に、広告等の電子コンテンツの配信者から、順位付けられた順に優先的に配信して電子コンテンツを流通させる電子コンテンツ流通システム、電子コンテンツ流通方法及び電子コンテンツ流通用プログラムを提供することを目的とする。
【００１９】
また、本発明の他の目的は、サービス事業者のサーバに処理負荷がかからない広告等の電子コンテンツの配信者から依頼を受け、適切な利用者に電子コンテンツを流通させる電子コンテンツ流通システム、電子コンテンツ流通方法及び電子コンテンツ流通用プログラムを提供することにある。
【００２０】
本発明の更に他の目的は、広告等の電子コンテンツの配信者から依頼を受け、サービスの応答性が通信状況の影響で劣化することなく適切な利用者に電子コンテンツを流通させる電子コンテンツ流通システム、電子コンテンツ流通方法及び電子コンテンツ流通用プログラムを提供することにある。
【課題を解決するための手段】
【００２１】
上記の目的を達成するため、本発明の電子コンテンツ流通システムは、広告対象の所望の電子コンテンツを生成する広告主のサーバと、広告主のサーバから電子コンテンツを受信し、その電子コンテンツに対して該電子コンテンツの利用者のプロファイル情報を含むコンテンツ属性を設定し、電子コンテンツと共にそのコンテンツ属性を配信する仲介者であるサービス事業者のサーバと、サービス事業者のサーバが配信したコンテンツ属性が設定された電子コンテンツを受信してコンテンツ保存部に保存し、該コンテンツ保存部に保存されたコンテンツ属性が設定された電子コンテンツの中から、入力された利用者のプロファイル情報に対応したコンテンツ属性を持つ電子コンテンツを検索し、その検索した電子コンテンツを表示する利用者端末とを有することを特徴とする。
【００２２】
また、上記の目的を達成するため、本発明の電子コンテンツ流通方法は、広告主のサーバと、広告主からの電子コンテンツを配信するサービス事業者のサーバと、受信した電子コンテンツを表示する利用者端末とからなるシステムにおける電子コンテンツ流通配信方法であって、広告主のサーバにより広告対象の所望の電子コンテンツを生成する第１のステップと、サービス事業者のサーバにより電子コンテンツを受信し、その電子コンテンツに対して該電子コンテンツの利用者のプロファイル情報を含むコンテンツ属性を設定した後、電子コンテンツと共にそのコンテンツ属性を配信する第２のステップと、第２のステップで配信された、コンテンツ属性が設定された電子コンテンツを利用者端末が受信してその利用者端末のコンテンツ保存部に保存する第３のステップと、コンテンツ保存部に保存されたコンテンツ属性が設定された電子コンテンツの中から、入力された利用者のプロファイル情報に対応したコンテンツ属性を持つ電子コンテンツを検索する第４のステップと、その検索した電子コンテンツを表示する第５のステップとを含むことを特徴とする。
【００２３】
また、上記の目的を達成するため、本発明の電子コンテンツ流通用プログラムは、サービス事業者のサーバにより配信された広告主からの電子コンテンツを受信し、その電子コンテンツを表示する利用者端末のコンピュータを動作させる電子コンテンツ流通用プログラムであって、上記コンピュータに、
サービス事業者のサーバが配信した、利用者のプロファイル情報を含むコンテンツ属性が設定された電子コンテンツを受信してコンテンツ保存部に保存する第１のステップと、コンテンツ保存部に保存されたコンテンツ属性が設定された電子コンテンツの中から、入力された利用者のプロファイル情報に対応したコンテンツ属性を持つ電子コンテンツを検索する第２のステップと、その検索した電子コンテンツを表示する第３のステップとを実行させることを特徴とする。
【００２４】
更に、上記の目的を達成するため、本発明の電子コンテンツ流通用プログラムは、広告主のサーバから送信された電子コンテンツを利用者端末へ配信する仲介を行うサービス事業者のサーバのコンピュータを動作させる電子コンテンツ流通用プログラムであって、上記コンピュータに、
利用者端末が表示した電子コンテンツに関する情報を受信して、電子コンテンツの表示回数、時間帯別表示回数、エリア別表示回数、表示効果回数を統計情報として演算する統計演算ステップと、統計演算ステップにより得られた統計情報を広告主のサーバへ送信する送信ステップとを実行させることを特徴とする。
【発明の効果】
【００２５】
本発明によれば、利用者の個人情報をサービス事業者に公開する必要がなく、個人情報漏洩のリスクを減らすことができる。また、本発明によれば、サービス事業者のサーバ処理負荷を抑えることができる。更に、本発明によれば、サービスの応答性が通信状況の影響で劣化することがない。
【発明を実施するための最良の形態】
【００２６】
次に、発明を実施するための最良の形態について図面を参照して詳細に説明する。
【００２７】
（第１の実施形態）
図１は、本発明になる電子コンテンツ流通システムの第１の実施形態のブロック図を示す。ここで、本明細書において電子コンテンツとは、テキスト、画像、音声、動画あるいはこれらの複合の電子メディアにおける任意の形式のデータのことであり、特に広告に関するデータを指す。なお、以下の説明では単にコンテンツと記すこともある。
【００２８】
図１を参照すると、本発明の第１の実施形態の電子コンテンツ流通システムは、プログラム制御により動作する利用者端末コンピュータ（中央処理装置；プロセッサ；データ処理装置）１００と、コンテンツ配信を仲介するサービス事業者の仲介者コンテンツサーバ２００と、広告対象の所望の電子コンテンツを生成する広告主コンテンツサーバ３００とから構成される。
【００２９】
広告主コンテンツサーバ３００は、広告対象の所望の電子コンテンツを生成する広告主のサーバである。仲介者コンテンツサーバ２００は、広告主コンテンツサーバ３００から受信した電子コンテンツに対し、有効期限、優先度などのコンテンツ属性を取り込み、更にその広告を視聴させたい利用者のプロファイルなどをコンテンツ属性として設定した後送信するコンテンツ属性設定手段２０１を含む。この仲介者コンテンツサーバ２００は、広告を利用者に配信するサービス事業者のサーバである。
【００３０】
利用者端未コンピュータ１００は、コンテンツ受信部１０１と、コンテンツ管理部１０２と、コンテンツ保存部１０３と、プロファイル情報入力部１０４と、プロファイル情報管理部１０５と、プロファイル保存部１０６と、コンテンツ抽出部１０７と、コンテンツ表示部１０８とを含む。この利用者端末コンピュータ１００は、広告を視聴する利用者が携行するカーナビゲーション装置や携帯電話などの移動体端末のコンピュータである。
【００３１】
本実施の形態の各手段はそれぞれ概略次のように動作する。コンテンツ属性設定手段２０１は、広告主コンテンツサーバ３００から送信された電子コンテンツを受信し、その受信した電子コンテンツに対して、当該電子コンテンツを視聴させたい利用者のプロファイル、有効期限、優先度のコンテンツ属性を付与する。さらに、仲介者コンテンツサーバ２００は、付与した優先度の高い電子コンテンツから順に各利用者端末に配信する。
【００３２】
図２は、上記のコンテンツ属性及びプロファイルの一例を示す。図２を参照すると、コンテンツ属性１７１は、各電子コンテンツに対して、コンテンツ名、更新日時、アクセス履歴、有効期限、位置情報、優先度、サイズ、作成者、対象性別、対象年齢、対象家族構成、対象車種・機種、対象年収、対象趣味のパラメータを含む。位置情報は、その電子コンテンツの表示位置などの情報で、また、優先度は、その電子コンテンツの配信順が他の電子コンテンツに比べて高いか否かを示す情報である。また、対象車種・機種は、その電子コンテンツの対象となるカーナビゲーション装置を搭載した自動車の車種、あるいはその電子コンテンツの対象となる携帯端末の機種などの情報である。ここで、コンテンツ属性１７１に関するパラメータは、広告主からの依頼、及び広告配信委託の料金に応じて調整する。
【００３３】
プロファイル１７３は、電子コンテンツの利用者の行動履歴としての日時及び位置情報のリストと、利用者の住所、勤務先住所・学校、性別、年齢、家族、車種・機種、年収、趣味等を含む。車種・機種は、利用者端末コンピュータ１００がカーナビゲーション装置のコンピュータであれば、そのカーナビゲーションが搭載された自動車の車種、携帯端末のコンピュータであれば、その携帯端末の機種である。
【００３４】
図１に戻って説明する。コンテンツ受信部１０１は、仲介者コンテンツサーバ２００から、電子コンテンツを受信し、受信したその電子コンテンツをコンテンツ管理部１０２に渡す。コンテンツ管理部１０２は、コンテンツ受信部１０１から入力された電子コンテンツをコンテンツ保存部１０３に保存する。プロファイル情報入力部１０４は、利用者のプロファイル情報の入力を受け付け、受け付けたプロファイル情報をプロファイル情報管理部１０５に渡す。プロファイル情報管理部１０５は、プロファイル情報入力部１０４から入力されたプロファイルをプロファイル保存部１０６に保存する。
【００３５】
コンテンツ抽出部１０７は、プロファイル情報管理部１０５を介して、利用者のプロファイルをプロファイル保存部１０６から読み出し、当該プロファイルをキーにして、コンテンツ管理部１０２を介して、コンテンツ保存部１０３に保存されている電子コンテンツの検索を実行する。そして、コンテンツ抽出部１０７は、検索にヒットした電子コンテンツを順次コンテンツ表示部１０８に表示し、利用者端末コンピュータ１００の利用者にコンテンツを視聴させる。
【００３６】
次に、コンテンツ管理部１０２の詳細な構成を図３と共に説明する。図３はコンテンツ管理部１０２の一例のブロック図を示す。図３に示すように、コンテンツ管理部１０２は、コンテンツ処理インタフェース１５１と、コンテンツ書出部１５２と、コンテンツ検索・読込部１５３と、コンテンツ削除部１５４と、コンテンツ保存部１０３の容量情報を読み出す容量情報取得部１５５と、コンテンツ寿命管理部１６１と、タイマ１６２とから構成される。
【００３７】
コンテンツ管理部１０２の各手段はそれぞれ概略次のように動作する。コンテンツ処理インタフェース１５１は、コンテンツ受信部１０１及びコンテンツ抽出部１０７からの、コンテンツ保存部１０３に対するコンテンツ操作処理を受付け、コンテンツ書出部１５２、コンテンツ検索・読込部１５３に処理要求を出し、またその処理結果を受取り、さらにコンテンツ受信部１０１及びコンテンツ抽出部１０７にその処理結果を返す。
【００３８】
コンテンツ書出部１５２は、上記の処理要求を受けて、コンテンツ保存部１０３に電子コンテンツを保存する。コンテンツ検索・読込部１５３は、上記の処理要求を受けて、コンテンツ保存部１０３に保存されている電子コンテンツの検索を行い、また電子コンテンツをコンテンツ保存部１０３に読み込む。コンテンツ削除部１５４は、コンテンツ保存部１０３に保存されている電子コンテンツから、指定された電子コンテンツの削除を行う。
【００３９】
容量情報取得部１５５は、コンテンツ保存部１０３に保存されている各電子コンテンツのサイズ及びストレージ全体の容量、ストレージの残り利用可能容量を取得する。タイマ１６２は、現在の日時もしくは指定した日時からの経過時間を返す。コンテンツ寿命管理部１６１は、随時タイマ１６２から日時情報を取得し、コンテンツ保存部１０３に保存されている電子コンテンツ及び容量に関する情報を取得し、取得したこれらの情報を使って、コンテンツ保存部１０３から有効期限の経過した電子コンテンツを削除する。
【００４０】
次に、図１、図２、図３と、図４のフローチャートを併せ参照して、本実施形態において、コンテンツを更新する動作について詳細に説明する。
【００４１】
まず、コンテンツ処理インタフェース１５１は、コンテンツ処理要求を受け付ける（ステップＳ１）。コンテンツ書出部１５２は、コンテンツ処理インタフェース１５１を通してコンテンツ処理要求を受けた電子コンテンツをコンテンツ保存部１０３に保存する（ステップＳ２）。
【００４２】
次に、コンテンツ寿命管理部１６１は、コンテンツ保存部１０３におけるコンテンツ使用量を容量情報取得部１５５を通して取得し、そのコンテンツ使用量を予め設定されている閾値と比較する（ステップＳ３）。もし、コンテンツ使用量が閾値を超えていなければ、コンテンツ保存部１０３にはまだ新たな電子コンテンツを保存するための利用可能な容量が存在するので、今まで通り処理を継続し、処理はステップＳ１に戻る。
【００４３】
ステップＳ３のコンテンツ使用量と予め設定されている閾値との比較は、最近の使用量の増分を加味して、例えば、１週間後のコンテンツ使用量を推測しての比較であってもよい。推測には回帰分析など、様々な手法が知られており、任意の推測手法を使ってもよい。
【００４４】
他方、ステップＳ３でコンテンツ使用量が閾値を超えていると判定した場合、コンテンツ保存部１０３には新たな電子コンテンツを保存するための利用可能な容量が残っていないので、コンテンツ寿命管理部１６１は、有効期限を過ぎた電子コンテンツをコンテンツ保存部１０３に保存されている電子コンテンツの中から検索する（ステップＳ４）。もし、有効期限を過ぎた電子コンテンツが存在すれば、その電子コンテンツをコンテンツ削除部１５４により削除させる（ステップＳ５）。これにより、コンテンツ保存部１０３の新たな電子コンテンツを保存するための利用可能な容量を確保する。そして、ステップＳ３の処理に戻る。
【００４５】
しかし、コンテンツ寿命管理部１６１は、ステップＳ４でコンテンツ保存部１０３に保存されている電子コンテンツの中に有効期限を過ぎた電子コンテンツが存在しないと判定したときは、プロファイル情報管理部１０５を介してプロファイル保存部１０６に保存されている利用者のプロファイル１７３にアクセスして行動履歴を取得し、その行動履歴の領域外の位置情報属性のコンテンツがあるかどうかを調べる（ステップＳ６）。
【００４６】
もし、行動履歴の領域外の位置情報属性の電子コンテンツが存在すれば、その電子コンテンツをコンテンツ削除部１５４により削除させる（ステップＳ７）。これにより、コンテンツ保存部１０３の新たな電子コンテンツを保存するための利用可能な容量を確保する。そして、ステップＳ３の処理に戻る。つまり、当該利用者が、これまで行動したことがない場所に依存した電子コンテンツは利用されることの可能性が小さいことから、その電子コンテンツを削除しようというものである。
【００４７】
ステップＳ６における行動履歴の領域外の判定は、電子コンテンツのコンテンツ属性の位置情報が示す位置と、利用者のプロファイル１７３に保存されている利用者の行動履歴の現在位置及び過去の位置を含む位置情報が示す各位置との間の距離をそれぞれ算出し、その距離を基に処理する。そして、コンテンツ保存部１０３に保存されている各電子コンテンツのうち、コンテンツ保存部１０３の新たな電子コンテンツを保存するための利用可能な容量が確保できるまで、上記の距離が大きい順に対応する電子コンテンツを削除する。なお、距離の大きい順ではなく、距離が所定値以上大きな電子コンテンツを削除するようにしてもよい。
【００４８】
また、ステップＳ６で行動履歴の領域外の位置情報属性の電子コンテンツが存在しないと判定したときは、コンテンツ寿命管理部１６１は、コンテンツ保存部１０３に保存されている電子コンテンツの中から最も優先度の低い電子コンテンツをコンテンツ削除部１５４により削除させる（ステップＳ８）。これにより、コンテンツ保存部１０３の新たな電子コンテンツを保存するための利用可能な容量を確保する。そして、ステップＳ３の処理に戻り、コンテンツ保存部１０３内の電子コンテンツの使用量をチェックする。
【００４９】
次に、図１、図２、図３と、図５のフローチャートを併せ参照して、本実施形態において、電子コンテンツを表示する動作について詳細に説明する。
【００５０】
まず、コンテンツ抽出部１０７は、プロファイル情報管理部１０５を通して、プロファイル保存部１０６にアクセスし、プロファイル保存部１０６に保存されている利用者のプロファイル１７３を取得する（ステップＳ１１）。次に、コンテンツ抽出部１０７は、取得したプロファイル１７３のデータに基づいて、コンテンツ管理部１０２を介して、コンテンツ保存部１０３に保存されている電子コンテンツの検索を実行する（ステップＳ１２）。ここで、コンテンツ保存部１０３に保存されている電子コンテンツには、図２に示したコンテンツ属性１７１が付与されており、そこには例えば、コンテンツ属性の位置情報があるエリアを含んでいる。そこで、ステップＳ１２の検索では、プロファイル１７３が示す現在位置が、上記エリアのコンテンツ属性の位置情報が示す位置と一致する、もしくは含まれる場合に検索はヒットすることとする。
【００５１】
続いて、コンテンツ抽出部１０７は、電子コンテンツに付与されているコンテンツ属性１７１には、優先度情報があるエリアが含まれているので、そのエリアの優先度情報に基づいて、ステップＳ１２で検索した電子コンテンツの中から優先度が高い順に電子コンテンツを抽出する（ステップＳ１３）。ただし、同じ電子コンテンツのみが抽出されることを回避するために、「優先度÷（抽出回数＋１）」で表される式の演算を行い、その演算で得られる最大値の電子コンテンツを抽出する処理を追加してもよい。なお、優先度は値が大きい方が優先度が高いものとする。ここで、上記の演算式では抽出回数に「１」を加えた数で優先度を除算しているが、「１」を加えるのはゼロ除算を回避するためであり、抽出回数に準じた値であればよい。また、除算ではなく減算でもよい。ステップＳ１３で抽出された電子コンテンツは、コンテンツ表示部１０６を通して表示される（ステップＳ１４）。図５のフローチャートは所定のタイミング毎に起動され、その都度ステップＳ１３の計算が行われて、その時の最大値の電子コンテンツの表示が行われることになる。
【００５２】
ここで、優先度を表示順序の計算対象としたが、前述の利用者の行動履歴もしくは現在位置とコンテンツ属性の位置情報が示す位置との間の距離を順序判定の計算対象としてもよい。この場合、距離が短いほど判定順序は前になる。そのため過去の抽出回数は、乗算もしくは加算して順序に加味して判定する。
【００５３】
図６は、本実施形態において、電子コンテンツを表示する動作の他の例のフローチャートを示す。この表示動作の他の例について説明する。コンテンツ抽出部１０７は、図５のステップＳ１１、Ｓ１２と同様に、プロファイル１７３を取得した後（ステップＳ２１）、コンテンツ保存部１０３に保存されている電子コンテンツの検索を実行する（ステップＳ２２）。
【００５４】
続いて、コンテンツ抽出部１０７は、抽出対象の電子コンテンツの「累積表示回数＋１」を議席数、各優先度を投票数とし、公知の議席配分アルゴリズムで抽出対象の各電子コンテンツの議席（表示回数）を算出する（ステップＳ２３）。議席配分アルゴリズムは、ドント式などが知られるが、任意の議席配分アルゴリズムでよい。続いて、コンテンツ抽出部１０７は、ステップＳ２３で求めた抽出対象の各電子コンテンツの議席（表示回数）の中から議席（表示回数）が不足する電子コンテンツをコンテンツ表示部１０８に表示させる（ステップＳ２４）。
【００５５】
ここで、ステップＳ２４における表示回数が不足するか否かを判定する処理動作について更に詳細に図７と共に説明する。図７（Ａ）において、電子コンテンツＡ、Ｂ、Ｃの投票数（優先度）が「５」、「３」、「２」であり、電子コンテンツＡの投票数が最も高く、また、これまでに累計で１８回表示をしており、また１７議席が確定しているものとする。
【００５６】
この場合、議席配分アルゴリズムで、議席数が「１８」であるので、ヘア＝ニーマイヤー式の配分では、各投票数を基数で除算する。基数とは、投票総数÷議席数で表される数である。ここでは、投票総数は「１０」（＝５＋３＋２）、議席数は「１８」であるので、基数は「０.５５」となる。上記の各投票数をこの基数で除算すると、電子コンテンツＡ、Ｂ、Ｃのそれぞれについて９余り０、５余り０.２２、３余り０.３３となり、図７（Ａ）に示すように、それぞれの剰余は「０」、「０.２２」、「０.３３」となる。この中で最も剰余が大きいのが「０.３３」で、その電子コンテンツＣを残りの１議席に割り当てる。これにより、図７（Ａ）に示すように、電子コンテンツＡ、Ｂ、Ｃの議席数は「９」、「５」、「４」となる。
【００５７】
次に、上記と同じ投票数の３つの電子コンテンツＡ、Ｂ、Ｃについて累計で１９回表示するものとし、また１７議席が確定している場合は、上記と同様に計算すると、基数は「０．５２６」となり、各電子コンテンツの剰余は図７（Ｂ）に示すように「０.２６３」、「０.３６８」、「０.４２１」となる。この中で剰余が大きいものから順に２つの電子コンテンツＣ、Ｂを残りの２議席に割り当てる。これにより、電子コンテンツＡ、Ｂ、Ｃの議席数（表示回数）は、図７（Ｂ）に示すように、「９」、「６」、「４」になる。
【００５８】
ここで、これまでに、図７（Ａ）に示したように、電子コンテンツＡ、Ｂ、Ｃの議席数（表示回数）は、「９」、「５」、「４」であったので、今回求めた議席数（表示回数）と比較すると電子コンテンツＢの表示回数が足りないことが分かる。そこで、表示回数が少ない電子コンテンツとしてＢが選択されることになる。このようにして、表示回数が不足する電子コンテンツが求められる。
【００５９】
なお、優先度が同じ電子コンテンツの場合、剰余が同じになるが、その場合は、データベースで検索された順に選択される。この図６のフローチャートの議席配分アルゴリズムによれば、図５のフローチャートにより表示を行う場合よりも表示回数の配分をより公平に行うことができる。
【００６０】
次に、本実施形態の効果について説明する。
【００６１】
本実施形態では、広告主の依頼、報酬に基づき、電子コンテンツに対し、有効期限、優先度というコンテンツ属性がサービス事業者の仲介者コンテンツサーバによって付与され、利用者に配信され、利用者端末の内部で、利用者の個人情報であるプロファイルに基づいて電子コンテンツが抽出され、表示される。このため、利用者の個人情報を外部送信することなく、つまり利用者の個人情報をサービス事業者に公開する必要がなく、個人情報漏洩のリスクが縮小された電子コンテンツ流通システムを提供することができる。
【００６２】
また、本実施形態では、サービス事業者の仲介者コンテンツサーバ２００においては、利用者の時間位置情報を収集、分析する処理や、検索処理する必要がないため、サーバの処理負荷を抑えることができる。言い換えれば、サーバのスケールダウンが可能であり、サーバ構築コスト、運用保守コストを抑制することが可能となる。
【００６３】
さらに、利用者端末コンピュータ１００の利用者は、通信回線を介して、サービス事業者の仲介者コンテンツサーバ２００において検索をせず、利用者端未コンピュータ１００の内部で電子コンテンツを検索し、その結果を使ってサービスの提供を受けるため、サービスの応答性が通信状況の影響で劣化することがなく、安定させることができる。
【００６４】
一方、利用者端末コンピュータ１００においては、電子コンテンツを保存する容量に制限があるが、コンテンツの属性、利用者のプロファイルに応じて、保存している電子コンテンツを削除するように構成されているため、継続して電子コンテンツの配信を受け、電子コンテンツを表示することができる。
【００６５】
（第２の実施形態）
次に、本発明の第２の実施形態について図面を参照して詳細に説明する。図８は、本発明になる電子コンテンツ流通システムの第２の実施形態のブロック図を示す。同図中、図１と同一構成部分には同一符号を付し、その説明を省略する。図８に示す本実施形態は、図１に示した第１の実施形態に、外部センサ４００を追加し、プロファイル情報入力部１０４をプロファイル情報生成部１１１に置き換えた構成の利用者端末コンピュータ１１０を用いる。
【００６６】
外部センサ４００は、随時利用者の位置情報を計測し、位置情報をプロファイル情報生成部１１１に送り、プロファイル（図２の１７３）の行動履歴を更新する。外部センサ４００としては、全地球測位システム（ＧＰＳ:Global Positioning System）の人工衛星（ＧＰＳ衛星）から送信されるＧＰＳ信号を受信し、その受信ＧＰＳ信号を解析して自装置の現在位置の緯度・経度などの位置情報を取得するＧＰＳ受信機がある。また、外部センサ４００の他の例としては、無線ＬＡＮ(Local Aria Network)による測位情報を受信する受信器や、非接触型の自動認識技術であるＲＦＩＤ(Radio Frequency Identification)を利用して位置情報のＩＤが書き込まれるＩＣタグなどがある。
【００６７】
このように、外部センサ４００からの位置情報をプロファイル情報生成部１１１により受信してプロファイル情報管理部１０５を経由してプロファイル保存部１０６に保存されているプロファイル（図２の１７３）を更新する利用者端末コンピュータ１１０を用いる本実施形態によれば、利用者が移動すると、自動的にプロファイル１７３の行動履歴が更新され、それに応じてコンテンツ抽出部１０７で抽出される電子コンテンツが必要に応じて更新され、表示される電子コンテンツが変わる。
【００６８】
このように、本実施形態では、随時、利用者の位置移動に対して、自動的に表示コンテンツを更新できるように構成されているため、利用者の状況変化に迅速に対応可能な電子コンテンツ流通システムを提供することができる。
【００６９】
（第３の実施形態）
次に、本発明の第３の実施形態について図面を参照して詳細に説明する。図９は、本発明になる電子コンテンツ流通システムの第３の実施形態のブロック図を示す。同図中、図８と同一構成部分には同一符号を付し、その説明を省略する。図９に示す本実施形態は、図８に示した第２の実施形態の利用者端末コンピュータ１１０に、表示効果測定部１２１を新たに設けた構成の利用者端末コンピュータ１２０を使用する。また、仲介者コンテンツサーバ２００は、コンテンツ表示部１０８及び表示効果測定部１２１からの信号を受信する通信機能を有する構成となっている。
【００７０】
コンテンツ表示部１０８は、上記の第１及び第２の実施形態で説明した動作に加え、表示した電子コンテンツに関する情報を仲介者コンテンツサーバ２００に送信する。表示した電子コンテンツに関する情報には、少なくとも電子コンテンツの識別子、表示実行場所、表示実行時間が含まれる。利用者個人情報に関しては、利用者の承認があれば仲介者コンテンツサーバ２００に送信する。ただし、この場合、利用者個人を特定するような個人情報の漏洩を避けるため、利用者個人のＩＤを暗号化する、もしくは個人ＩＤとは別の仮ＩＤを取得し、その仮ＩＤで利用者のプロファイルを送付してもよい。
【００７１】
表示効果測定部１２１は、コンテンツ表示部１０８で提供した電子コンテンツを取得する一方、プロファイル情報管理部１０５を通して利用者のプロファイル１７３をプロファイル保存部１０６から取得し、その利用者のプロファイル１７３が示す行動履歴と電子コンテンツとを比較して、電子コンテンツの表示効果を測定（調査）する。例えば、コンテンツ表示部１０８で電子コンテンツとしてレストランの広告を表示したときは、それに対して、利用者がそのレストランを目的地に設定し、ナビゲーションを行ったことを利用者のプロファイル１７３から取得した場合、表示効果測定部１２１は、広告の表示効果ありと測定する。
【００７２】
仲介者コンテンツサーバ２００においては、電子コンテンツの表示回数、時間帯別表示回数、エリア別表示回数、表示効果回数を統計演算し、その度数に応じて広告主より広告費を徴収したり、利用者の統計情報を販売する。
【００７３】
本実施形態では、利用者を特定できない形で、表示された電子コンテンツに関する情報を仲介者コンテンツサーバ２００に送信するように構成されているため、仲介者のサービス事業者は、コンテンツの露出度、また露出された時間、場所に応じて、また表示効果に応じた料金を広告主から徴収することが可能である。
【００７４】
（第４の実施形態）
次に、本発明の第４の実施形態について図面を参照して詳細に説明する。図１０は、本発明になる電子コンテンツ流通システムの第４の実施形態のブロック図を示す。同図中、図８と同一構成部分には同一符号を付し、その説明を省略する。図１０に示す本実施形態は、図９に示した第３の実施形態に、仲介者コンテンツサーバ２１０において、コンテンツ優先度更新部２０２を追加した構成となっている。
【００７５】
図１０において、コンテンツ優先度更新部２０２は、コンテンツの露出度（表示回数）を計算し、当初想定した露出度よりも実際の露出度が下回る場合には、コンテンツ属性を更新するものである。
【００７６】
例えば、有効期限に関しては、有効期限を延期することが考えられる。位置情報に関しては、緯度経度データ及び半径５００ｍという表記の場合、半径１０００ｍに変更する、”東京都．港区．芝．５丁目”という表記の場合、行政単位を１段階上位の”東京都．港区．芝”に変更する、ことが考えられる。優先度に関しては、優先度を高くすることが考えられる。対象年齢に関しては、”３０歳代”という表記の場合、”２０歳〜５０歳”とすることが考えられる。
【００７７】
仲介者のサービス事業者では、利用者全体でもコンテンツの露出動向を把握できるので、部分的な露出度によって、コンテンツ属性を更新してもよいし、全体的な露出度によってコンテンツ属性を更新してもよい。
【００７８】
本実施形態によれば、コンテンツ表示実績が仲介者コンテンツサーバ２１０にフィードバックされるように構成されているため、仲介者コンテンツサーバ２１０を管理するサービス事業者が、コンテンツの露出度合いを、コンテンツ属性を更新することで制御することが可能な電子コンテンツ流通システムを提供することができる。このような機能を有することで、広告主とは露出度を一定以上約束するような条項を付加した付加価値の高い広告配信契約を締結することが可能となる。
【００７９】
（第５の実施形態）
次に、本発明の第５の実施形態について図面を参照して詳細に説明する。図１１は、本発明になる電子コンテンツ流通システムの第５の実施形態のブロック図を示す。同図中、図１０と同一構成部分には同一符号を付し、その説明を省略する。図１１に示す本実施形態は、第４の実施形態の仲介者コンテンツサーバ２１０に、通信状態管理部２０３を付加した構成の仲介者コンテンツサーバ２２０を使用する構成である。
【００８０】
図１１において、通信状態管理部２０３は、利用者端末コンピュータ１２０と仲介者コンテンツサーバ２２０との間の通信状態を監視し、十分な通信帯域が確保できない場合には、利用者端末コンピュータ１２０で利用される可能性が高い電子コンテンツを優先して利用者端末コンピュータ１２０に送信する。利用者端末コンピュータ１２０で利用される可能性が高い電子コンテンツとは以下の通りである。
【００８１】
通信状態管理部２０３は、利用者端末コンピュータ１２０が通信している無線基地局、地域ＩＸ（インターネット・エクスチェンジ）、利用者端末がどのようなネットワーク経路でサーバにアクセスしているかを示すルーティング情報などの地域情報を、通信する信号中のヘッダなどから取得する。そして、通信状態管理部２０３は、その地域情報が示す位置と、コンテンツ属性設定手段２０１で設定したコンテンツ属性１７１の位置情報が示す位置との間の距離を算出し（包含関係にある場合は距離０とする）、算出した距離が所定の閾値よりも短いコンテンツ属性１７１の位置情報が付加されている電子コンテンツは、利用者端末コンピュータ１２０で利用される可能性が高い電子コンテンツであると判定する。
【００８２】
また、仲介者コンテンツサーバ２２０は、利用者端末コンピュータ１２０のコンテンツ表示部１０８から送信されたコンテンツ表示履歴を用いて、他利用者からの視聴履歴全体で、当該利用者のコンテンツ表示履歴（視聴履歴）にある電子コンテンツとあわせて視聴されることが多い電子コンテンツは、利用者端末コンピュータ１２０で利用される可能性の高い電子コンテンツであると判定する。この場合、仲介者コンテンツサーバ２２０は、例えば、電子コンテンツの表示回数順にランキングし、ランクの高い順に電子コンテンツを利用者端末コンピュータ１２０に送信することが考えられる。
【００８３】
また、仲介者コンテンツサーバ２２０は、利用者端末コンピュータ１２０に電子コンテンツを送信する場合、その利用者端末コンピュータ１２０と同じ電子コンテンツを利用している他の利用者（相関度の高い利用者）を抽出し、利用者端末コンピュータ１２０には未送信で、かつ、相関度の高い利用者が利用した回数の高い電子コンテンツを利用者端末コンピュータ１２０に送信するようにしてもよい。
【００８４】
また、通信状態管理部２０３は、利用者端末コンピュータ１２０のコンテンツ表示部１０８から送信されたコンテンツ表示履歴を用いて、そのコンテンツ表示履歴にある電子コンテンツと類似するコンテンツ属性を有する電子コンテンツは、利用者端末コンピュータ１２０で利用される可能性の高いコンテンツであると判定する。具体的には、利用者端末コンピュータ１２０のコンテンツ表示履歴から、共起しているかどうかの電子コンテンツ間の相関度を調べ、あるいは付与されている属性のパラメータ間の共通度合として相関度を調べる。そして、利用者端末コンピュータ１２０に電子コンテンツを送信する場合、仲介者コンテンツサーバ２２０は、上記の調査結果に基づき、利用者端末コンピュータ１２０に未送信で、かつ、利用者端末コンピュータ１２０が直近に利用した電子コンテンツと相関度が高い電子コンテンツを送信する。
【００８５】
このように、本実施形態によれば、仲介者コンテンツサーバ２２０が利用者端末コンピュータ１２０との間の通信状態を監視し、その通信状態から、また利用者端末コンピュータ１２０のコンテンツ表示履歴から、利用者端末コンピュータ１２０で利用される可能性の高い電子コンテンツを推測するように構成したため、通信帯域が不十分でも、利用される可能性の高い電子コンテンツを優先して利用者端末コンピュータに送信することができる。その結果、利用者端末コンピュータ１２０は、その利用者個人に適応した電子コンテンツを利用者端末コンピュータ１２０のコンテンツ保存部１０３に保存することができ、利用者の満足度の高い電子コンテンツ流通システムを提供することができる。
【００８６】
なお、本実施形態では、通信状態、あるいは利用者端末コンピュータ１２０のコンテンツ表示履歴から、利用者のプロファイルを推定することによって、利用者個人に適応するであろう電子コンテンツを利用者端末コンピュータ１２０に送信しているが、利用者端末コンピュータ１２０から、近似、あるいは誤差をランダムに与えることで、個人情報を個人を特定できないレベルに劣化させて送信するようにしてもよい。
【００８７】
近似する処理とは、例えば、位置情報を送信する場合に、緯度・経度・高度情報を送信するのではなく、現在いる場所のビル、あるいは番地、市区町村に置き換えて送信することが考えられる。時間は、時分秒ではなく、朝、昼、午前、午後に置き換えて送信する。食事、趣味などの嗜好に関しては、上位のカテゴリ分類に置き換えることが考えられる。このような大分類の情報のみの個人を特定できないレベルの情報を仲介コンテンツサーバは受け取り、利用者端末コンピュータには大雑把に分類した電子コンテンツのセットを送信し、利用者端末コンピュータは、大雑把な分類で送付されてきた電子コンテンツの中から、細かなプロファイルを使って、各利用者の位置・時間・嗜好に適合するコンテンツを取捨選択することで、利用者の満足度の高い電子コンテンツ流通システムを提供することができる。
【００８８】
また、仲介者コンテンツサーバ２２０は通信状態管理部２０３により利用者端末コンピュータ１２０との間の通信状態から利用者端末コンピュータ１２０の位置情報を推定し、推定した位置情報が示す位置と送信する各電子コンテンツの位置情報が示す位置との距離を算出し、その距離が小さな順から電子コンテンツを利用者端末コンピュータ１２０に送信するようにしてもよい。
【００８９】
以上説明したように、上記の各実施形態の電子コンテンツ流通システムによれば、サービス事業者の仲介者コンテンツサーバにおいては、大まかな位置（例えば無線基地局）と時間に応じて、電子コンテンツに対し、有効期限、優先度のコンテンツ属性を付与して、優先度に応じて、利用者端末に送信する。利用者端末においては、電子コンテンツを受信し、保存する。また、利用者端末は利用者のプロファイルの入力を受付け、保存する。そして、利用者の詳細な位置・時間、嗜好などのプロファイルに応じて、コンテンツ保存部１０３に保存されている電子コンテンツの中から検索し、もしくは利用者が選択して、電子コンテンツをコンテンツ表示部１０８で表示（再生）する。
【００９０】
また、利用者端末においては、記憶容量は制限されているので、寿命となった電子コンテンツを順次削除、また利用される可能性の低い電子コンテンツを順に削除する。選択された電子コンテンツに関する情報は、仲介者コンテンツサーバに送信され、仲介者コンテンツサーバにおいては広告効果、配信状況に関する統計情報を広告主に報告し、広告配信およびその効果に相当する料金を受取る。このように動作することで、本発明の目的を達成することができる。
【００９１】
なお、本発明は以上の実施形態に限定されるものではなく、本発明は以上の各実施形態の構成をコンピュータのプログラムにより実現させる電子コンテンツ流通用プログラムも包含するものである。
【産業上の利用可能性】
【００９２】
本発明によれば、カーナビゲーション装置や携帯電話などの移動体端末において、移動体端末の利用者の位置、時間、状況に応じたターゲティング広告配信、交通・移動のためのナビゲーション情報配信、天候・災害に関する公共情報配信を実現するコンテンツ流通システムや、コンテンツ流通システムをコンピュータに実現するためのプログラムといった用途に適用できる。
【図面の簡単な説明】
【００９３】
【図１】本発明の第１の実施形態の構成を示すブロック図である。
【図２】本発明で用いるコンテンツ属性とプロファイルの構成の一例を示す図である。
【図３】図１中のコンテンツ管理部の構成の一例を示すブロック図である。
【図４】本発明の第１の実施形態におけるコンテンツを更新する動作説明用フローチャートである。
【図５】本発明の第１の実施形態における電子コンテンツを表示する動作の一例の説明用フローチャートである。
【図６】本発明の第１の実施形態における電子コンテンツを表示する動作の他の例の説明用フローチャートである。
【図７】図６のフローチャート中の表示回数が不足するか否かの判定方法について説明する図である。
【図８】本発明の第２の実施形態の構成を示すブロック図である，
【図９】本発明の第３の実施形態の構成を示すブロック図である。
【図１０】本発明の第４の実施形態の構成を示すブロック図である。
【図１１】本発明の第５の実施形態の構成を示すブロック図である。
【図１２】特許文献１記載のシステムを説明するブロック図である。
【図１３】特許文献２記載のシステムを説明するブロック図である。
【符号の説明】
【００９４】
１００、１１０、１２０  利用者端末コンピュータ（中央処理装置：プロセッサ；データ処理装置）
１０１  コンテンツ受信部
１０２  コンテンツ管理部
１０３  コンテンツ保存部
１０４  プロファイル情報入力部
１０５  プロファイル情報管理部
１０６  プロファイル保存部
１０７  コンテンツ抽出部
１０８  コンテンツ表示部
１１１  プロファイル情報生成部
１２１  表示効果測定部
１５１  コンテンツ処理インタフェース
１５２  コンテンツ書出部
１５３  コンテンツ検索・読込部
１５４  コンテンツ削除部
１５５  容量情報取得部
１６１  コンテンツ寿命管理部
１６２  タイマ
２００、２１０、２２０  仲介者コンテンツサーバ
２０１  コンテンツ属性設定手段
２０２  コンテンツ優先度更新部
２０３  通信状態管理部
３００  広告主コンテンツサーバ
４００  外部センサ
【図１】
2009252060.tif 000003
【図２】
2009252060.tif 000004
【図３】
2009252060.tif 000005
【図４】
2009252060.tif 000006
【図５】
2009252060.tif 000007
【図６】
2009252060.tif 000008
【図７】
2009252060.tif 000009
【図８】
2009252060.tif 000010
【図９】
2009252060.tif 000011
【図１０】
2009252060.tif 000012
【図１１】
2009252060.tif 000013
【図１２】
2009252060.tif 000014
【図１３】
2009252060.tif 000015